(57)【要約】【課題】太陽熱を利用して、暖風および冷風を、通年にわたって供給することにより、運転コストが低廉で、かつ環境汚染の要因にもならない太陽熱暖冷風機を提供する。【解決手段】少なくとも、太陽熱によって発電する太陽電池１と、前壁３ａに、送風開口部４を有する箱状のボックス体２と、ボックス体２の壁３に、前面５ａを当該ボックス体２の内部に配置し、後面５ｂを当該ボックス体２の外に露出し、太陽電池１の出力をバッテリー９を介して作動し、切替スイッチ６によって、前面５ａから放熱または吸熱を行うサーモモジュール５と、ボックス体２の壁３または内部に設けられ、当該ボックス体２内の暖気または冷気を送風開口部４を通して外部に供給するファン７と、で構成する。【選択図】      図１
0003113904.tif 000002
【実用新案登録請求の範囲】
【請求項１】
太陽熱を利用して，暖風および冷風を，通年にわたって供給することのできる暖冷風機であって，少なくとも、太陽熱によって発電する太陽電池（１）と、前壁（３ａ）に，送風開口部（４）を有する箱状のボックス体（２）と、前記ボックス体の壁（３）に設けられ，前面（５ａ）を該ボックス体の内部に配置すると共に，後面（５ｂ）を該ボックス体の外に露出し，前記太陽電池の出力をバッテリー（９）を介して作動し，切替スイッチ（６）によって，前記前面から放熱または吸熱を行うサーモモジュール（５）と、前記ボックス体の壁または内部に設けられ，該ボックス体内の暖気または冷気を前記送風開口部を通して外部に供給するファン（７）と、からなる太陽熱暖冷風機。
【請求項２】
太陽熱を利用して，暖風および冷風を，通年にわたって供給することのできる暖冷風機であって，少なくとも、太陽熱によって発電する太陽電池（１）と、前壁（３ａ）に，送風開口部（４）を有する箱状のボックス体（２）と、前記ボックス体の壁（３）に設けられ，前面（５ａ）を該ボックス体の内部に配置すると共に，後面（５ｂ）を該ボックス体の外に露出し，前記太陽電池の出力をバッテリー（９）を介して作動し，切替スイッチ（６）によって，前記前面から放熱または吸熱を行うサーモモジュール（５）と、前記ボックス体の壁または内部に設けられ，該ボックス体内の暖気または冷気を前記送風開口部を通して外部に供給するファン（７）と、前記ボックス体に隣接して設けられ，前記サーモモジュールの後面に発生する冷気または暖気を，屋外（２０）に排出する導風管（８）と、からなる太陽熱暖冷風機。
【考案の詳細な説明】
【技術分野】
【０００１】
本考案は、太陽熱を利用して、暖風および冷風を、通年にわたって供給することのできる太陽熱暖冷風機に関するものである。
【背景技術】
【０００２】
従来から、エアコンのように、冬季には暖風を送り、夏季には冷風を送る装置が広く使用されている。こうした装置は、冬季には冷たい部屋を暖め、夏季には暑い部屋を冷やしてくれるので、日常生活に必要不可欠となっている。
【考案の開示】
【考案が解決しようとする課題】
【０００３】
しかし、こうした従来の装置は、商用電源を大量に使用するので多額の運転コストを必要とし、また、火力発電所等による電力供給量を増大させる等の理由から、環境汚染の要因にもなっている。
【０００４】
本発明はこうした点に鑑み創案されたもので、太陽熱を利用して、暖風および冷風を、通年にわたって供給することができ、よって、運転コストが低廉で、かつ環境汚染の要因になることもない太陽熱暖冷風機を提供することを課題とする。
【課題を解決するための手段】
【０００５】
図１乃至図３を参照して説明する。請求項１に記載の考案は、太陽熱を利用して、暖風および冷風を、通年にわたって供給することのできる暖冷風機であって、少なくとも、太陽熱によって発電する太陽電池１と、前壁３ａに、送風開口部４を有する箱状のボックス体２と、前記ボックス体２の壁３に設けられ、前面５ａを当該ボックス体２の内部に配置すると共に、後面５ｂを当該ボックス体２の外に露出し、前記太陽電池１の出力をバッテリー９を介して作動し、切替スイッチ６によって、前記前面５ａから放熱または吸熱を行うサーモモジュール５と、前記ボックス体２の壁３または内部に設けられ、当該ボックス体２内の暖気または冷気を前記送風開口部４を通して外部に供給するファン７と、からなる。
【０００６】
なお、サーモモジュール５は、ペルチェ素子または熱電素子としても知られており、直流電流の極性を切り替えることで加熱と冷却の両方を行うことができる電子部品である。
【０００７】
請求項２に記載の考案は、太陽熱を利用して、暖風および冷風を、通年にわたって供給することのできる暖冷風機であって、少なくとも、太陽熱によって発電する太陽電池１と、前壁３ａに、送風開口部４を有する箱状のボックス体２と、前記ボックス体２の壁３に設けられ、前面５ａを当該ボックス体２の内部に配置すると共に、後面５ｂを当該ボックス体２の外に露出し、前記太陽電池１の出力をバッテリー９を介して作動し、切替スイッチ６によって、前記前面５ａから放熱または吸熱を行うサーモモジュール５と、前記ボックス体２の壁３または内部に設けられ、当該ボックス体２内の暖気または冷気を前記送風開口部４を通して外部に供給するファン７と、前記ボックス体２に隣接して設けられ、前記サーモモジュール５の後面５ｂに発生する冷気または暖気を、屋外２０に排出する導風管８と、からなる。
【考案の効果】
【０００８】
請求項１に記載の太陽熱暖冷風機は、太陽熱によって発電する太陽電池１の出力をバッテリー９を介してサーモモジュール５を作動し、当該サーモモジュール５の放熱または吸熱によってボックス体２内の空気を加熱または冷却し、その暖気または冷気をファン７によって外部（屋内１０）に供給するので、商用電源を不要とし、運転コストの低廉化を図ることができる。また、ファン７も、太陽電池１によって作動することによって、運転コストをゼロに抑えることができる。
【０００９】
さらに、商用電源を使用しないので、火力発電等による電力の消費を削減することができる等の理由から、環境汚染の抑制に貢献することができる。
【００１０】
請求項２に記載の太陽熱暖冷風機は、請求項１に記載の発明と同様に、運転コストの低廉化を図ることができると共に、環境汚染を抑制することができる。また、ボックス体２に隣接して導風管８を設け、サーモモジュール５の後面５ｂに発生する冷気または暖気を屋外２０に排出するので、例えば、送風開口部４から暖気を供給する場合、その暖気を冷却してしまう冷気を屋外２０に排出することができる。これにより、屋内１０を効果的に暖めることができる。また、その逆に、送風開口部４から冷気を供給する場合は、暖気を屋外２０に排出することができるので、屋内１０を効果的に冷却することができる。
【考案を実施するための最良の形態】
【００１１】
本考案に係る太陽熱暖冷風機の実施形態を、図１乃至図３に示す。これは、太陽熱を利用して、暖風および冷風を、通年にわたって供給することのできる暖冷風機であり、太陽電池１、ボックス体２、サーモモジュール５およびファン７とで構成される。図中、符号９はバッテリー、９ａは配線である。
【００１２】
太陽電池１は、建物の屋根等の屋外２０に設けられ、太陽熱によって発電するもので、本実施形態では、直流２４Ｖのものを使用している。ボックス体２は、その前壁３ａに送風開口部４を形成した箱状である。
【００１３】
サーモモジュール５は、ボックス体２の壁３（後壁３ｂ）に設けられ、その前面５ａをボックス体２の内部に配置し、後面５ｂをボックス体２の外に露出している。このサーモモジュール５は、太陽電池１の出力をバッテリー９を介して作動し、近傍に設けた切替スイッチ６によって、前面５ａから放熱または吸熱を行い、ボックス体２内の空気を加熱または冷却するものである。
【００１４】
従って、夏季においては、前面５ａで吸熱を行ってボックス体２内の空気を冷却する（このとき、後面５ｂで放熱（加熱）が行われる）。また、その逆に、冬季においては、切替スイッチ６を切り替えて、前面５ａで放熱を行ってボックス体２内の空気を加熱する（このとき、後面５ｂでは吸熱（冷却）が行われる）。これにより、四季を問わず、通年にわたって、暖風および冷風を供給することができる。
【００１５】
ファン７は、ボックス体２の壁３（後壁３ｂ）でサーモモジュール５の下位に設けられ、ボックス体２内の暖気または冷気を送風開口部４を通して外部（屋内１０）に供給する。
【００１６】
こうした構成の本実施形態に係る太陽熱暖冷風機は、太陽電池１によってサーモモジュール５を作動させ、当該サーモモジュール５が行う放熱または吸熱によってボックス体２内の空気を加熱または冷却し、その暖気または冷気をファン７によって外部（屋内１０）に供給するので、運転コストをきわめて廉価に抑えることができる。なお、ファン７もサーモモジュール５と同様に、太陽電池１によって作動させることによって、運転コストをゼロに抑えることができる。
【００１７】
また、昼間、バッテリー９によって太陽電池からの余分な電力を蓄え、夜間はバッテリー９のみによって作動させることが出来る。
【００１８】
また、この太陽熱暖冷風機は、商用電源を使用しないので、火力発電等による電力の消費を削減することができる等の理由から、環境汚染の抑制に貢献することができる。
【００１９】
なお、本実施形態に係る太陽熱暖冷風機においては、導風管８を、ボックス体２に隣接して設け、サーモモジュール５の後面５ｂに発生する冷気または暖気を、屋外２０に排出するようにすることができる。これによって、例えば、送風開口部４から暖気を供給する場合、その暖気を冷却してしまう冷気を円滑に屋外２０に排出することができるので、屋内１０を効果的に暖めることができる。
【図面の簡単な説明】
【００２０】
【図１】本発明に係る太陽熱暖冷風機の実施形態を示す全体構成図である。
【図２】図１に示す太陽熱暖冷風機のボックス体を示す正面図である。
【図３】図１に示す太陽熱暖冷風機のボックス体を示す側面構成図である。
【符号の説明】
【００２１】
１        太陽電池
２        ボックス体
３        壁
３ａ      前壁
３ｂ      後壁
４        送風開口部
５        サーモモジュール
５ａ      前面
５ｂ      後面
６        切替スイッチ
７        ファン
８        導風管
９        バッテリー
９ａ      配線
１０      屋内
２０      屋外
【図１】
0003113904.tif 000003
【図２】
0003113904.tif 000004
【図３】
0003113904.tif 000005